(57)【要約】      （修正有）【課題】簡易な構造で、取付および取り外し作業が容易であり、また、設置場所の自由度が高く、展示物を効率良く際立たせることが可能な展示物保持部材を提供する。【解決手段】保持部材１は、設置部側保持部材７と展示物側保持部材９とから構成される。設置部側保持部材７は別途壁面等である設置部と接合される。展示物側保持部材９は、スリット２を有し、また、スリット２の隙間に固定ネジ３のネジ軸を有する。固定ネジ３のネジ軸は展示物側保持部材９上面から突出する。展示物側保持部材９は、展示用のデジタルカメラ及びビデオカメラ等である展示物が有する三脚用ネジ穴と固定ネジ３を螺合することにより、展示物と接合する。展示物側保持部材９は展示物背当て部を有する。設置部側保持部材７の内部には、磁石２３が設けられ、展示物側保持部材９の内部にも、対応するように磁石２５が設けられる。【選択図】図１
0003164109.tif 000002
【実用新案登録請求の範囲】
【請求項１】
三脚固定ネジ穴を有する展示物を保持する展示物保持部材であって、
設置部に接合され、複数の磁石を有する設置部側保持部材と、
展示物に接合され、複数の磁石を有する展示物側保持部材と、
を具備し、
前記設置部側保持部材と前記展示物側保持部材とが、互いの磁石によって着脱可能であり、
前記展示物側保持部材は、固定ネジを有し、
前記固定ネジは、前記展示物側保持部材に対してスライド移動可能であり、
前記固定ネジのネジ軸は前記展示物側保持部材の上面から突出しており、展示物の三脚固定ネジ穴と螺合することが可能であることを特徴とする展示物保持部材。
【請求項２】
前記展示物側保持部材は、展示物との接合面側に起立する展示物背当て部を有することを特徴とする請求項１に記載の展示物保持部材。
【請求項３】
前記設置部側保持部材は、前記展示物側保持部材の着脱面に略垂直な取付部を有し、設置部である壁面に接合可能であることを特徴とする請求項１または請求項２記載の展示物保持部材。
【考案の詳細な説明】
【技術分野】
【０００１】
本考案は、展示物を保持するための展示物保持部材に関するものである。
【背景技術】
【０００２】
従来、店舗等で展示物（例えばデジタルカメラなど）を展示する際には、展示用の棚に展示物を陳列する方法がある。また、陳列棚等に展示物を保持可能な保持部材を設け、当該保持部材に展示物を載置する方法がある。
【０００３】
このような展示物用の保持部材としては、たとえば、上面が開口した箱状体の背面に、背面と対向する対向板を設け、背面下端から、対向板と背面との間に先端が来るように設けられた可撓性部材を有する展示物品保持具がある（特許文献１）。
【先行技術文献】
【特許文献】
【０００４】
【特許文献１】特開２００９−２８５２０５号公報
【考案の開示】
【考案が解決しようとする課題】
【０００５】
しかし、特許文献１に記載されるような展示物品保持具は、展示物を箱状体内に配置するため、展示物の一部が展示物保持具によって隠れてしまい、展示効果が薄れる。また、展示物の大きさに応じて箱状体の大きさを変える必要がある。また、展示物が箱状体の内部で傾いたり、異なる向きに載置される恐れがあるため、店員等が随時展示物の配置修正等を行う必要があるという問題がある。
【０００６】
本考案は、このような問題に鑑みてなされたもので、簡易な構造で、取付および取り外し作業が容易であり、また、設置場所の自由度が高く、展示物を効率良く際立たせることが可能な展示物保持部材を提供することを目的とする。
【課題を解決するための手段】
【０００７】
前述した目的を達成するため、第１の考案は、三脚固定ネジ穴を有する展示物を保持する展示物保持部材であって、設置部に接合され、複数の磁石を有する設置部側保持部材と、展示物に接合され、複数の磁石を有する展示物側保持部材と、を具備し、前記設置部側保持部材と前記展示物側保持部材とが、互いの磁石によって着脱可能であり、前記展示物側保持部材は、固定ネジを有し、前記固定ネジは、前記展示物側保持部材に対してスライド移動可能であり、前記固定ネジのネジ軸は前記展示物側保持部材上面から突出しており、展示物の固定ネジ穴と螺合することが可能であることを特徴とする展示物保持部材である。
【０００８】
前記展示物側保持部材は、展示物との接合面側に起立する展示物背当て部を有することが望ましい。
【０００９】
前記設置部側保持部材は、前記展示物側保持部材の着脱面に略垂直な取付部を有し、設置部である壁面に接合可能であることが望ましい。
【００１０】
本考案によれば、展示を行う壁面や、保持台等である設置部に接合される設置部側保持部材と展示物に接合される展示物側保持部材とが互いに磁石によって引きつけ合うため、展示物の着脱が容易であり、展示物を箱状体等の内部に載置する必要がなく、展示物の前面および側面の全体を視認することができる。
【００１１】
設置部側保持部材および展示物側保持部材の磁石が複数（例えば一対）併設されることで、展示物を保持板側に取り付ける際に、展示物の取り付け位置および向きを一定にすることができる。また、展示物側保持部材は、固定ネジを有し、展示物が有する三脚固定ネジ穴と固定ネジを螺合するため、三脚固定ネジを有する展示物（例えばデジタルカメラ及びビデオカメラ）を確実に固定することができる。展示物側保持部材に対して固定ネジがスライド移動可能であり、展示物を配置する際に、任意の位置で展示物を保持することができる。
【００１２】
また、展示物との接合面側に起立する展示物背当て部によって展示物と展示物側保持部材を固定することが可能であれば、展示物が展示物側保持部材に対して回転することがなく、常に一定の向きで保持することができる。
【００１３】
また、設置部側保持部材が、展示物側保持部材の着脱面に略垂直な取付部を有していれば、設置部である壁面に保持部材を接合することが可能となり、展示物を自由なレイアウトで配置することができる。
【考案の効果】
【００１４】
本考案によれば、簡易な構造で、取付および取り外し作業が容易であり、また、設置場所の自由度が高く、展示物を効率良く際立たせることが可能な展示物保持部材を提供することができる。
【図面の簡単な説明】
【００１５】
【図１】保持部材１を示す斜視図。
【図２】展示物側保持部材９を示す図であり、（ａ）は平面図、（ｂ）は図２（ａ）におけるＦ−Ｆ線断面図、（ｃ）は図２（ａ）におけるＥ−Ｅ線断面図。
【図３】設置部側保持部材７と展示物側保持部材９との固定位置を示す図。
【図４】保持部材１を展示壁１７に固定して使用する例を示す図であり、（ａ）は斜視図、（ｂ）は側面図。
【図５】保持部材１を展示スタンド脚２７に固定して使用する例を示す図であり、（ａ）は斜視図、（ｂ）は側面図。
【図６】展示物背当て部１３を展示物側保持部材９ａに有する保持部材１ａを示す斜視図。
【図７】展示物１５を展示物背当て部１３を用いて固定した状態を示す側面図。
【考案を実施するための形態】
【００１６】
以下、本考案の第１の実施の形態を詳細に説明する。図１は、本考案の実施の形態にかかる保持部材１を示す斜視図であり、図１（ａ）は、分解斜視図、図１（ｂ）は、組みあわされた状態を示す図である。
【００１７】
保持部材１は、設置部側保持部材７と展示物側保持部材９とから構成される。設置部側保持部材７は、展示物側保持部材９の着脱面に略垂直な取付部１１を有する。設置部側保持部材７は、取付部１１と設置部を固定すること、又は設置部側保持部材７の底面に設置部を取り付けること等により設置部に接合されて使用される。設置部は、例えば、壁面及び保持台である。設置部側保持部材７を、設置部と接合する方法は後述する。
【００１８】
展示物側保持部材９は、展示物１５の着脱面中央に略矩形であるスリット２を有する。また、展示物側保持部材９の内部に、固定ネジ３を有する。固定ネジ３のネジ軸はスリット２の内側を通り展示物側保持部材９の上面から突出する。
【００１９】
展示物側保持部材９は、展示用のデジタルカメラ及びビデオカメラ等である展示物が底面に有する三脚用ネジ穴と固定ネジ３を螺合することにより、展示物と接合されて使用される。固定ネジ３は、スリット２に沿って、展示物側保持部材９の略長手方向（図ではＢ方向）にスライド移動が可能である。なお、設置部側保持部材７と展示物側保持部材９は例えばＡＢＳ等の樹脂製である。
【００２０】
設置部側保持部材７の展示物側保持部材９との着脱面側には、凹部２１が形成される。凹部２１は略矩形であり、展示物側保持部材９の形状に対応する。すなわち、展示物側保持部材９は、凹部２１に嵌り込むことが可能である。なお、凹部２１の深さは、展示物側保持部材９の厚さよりも浅く、展示物側保持部材９を凹部２１に嵌めこんだ際に、展示物側保持部材９が設置部側保持部材７の表面からわずかに突出する。
【００２１】
展示物側保持部材９の内部でありスリット２の縦方向の外側の位置に磁石２５が設けられる。磁石２５は、例えば縦方向に複数（図では１対）離間して設けられる。一方、設置物側保持部材７の凹部２１の内面にも同様に磁石２３が設けられる。磁石２３の配置および数は、展示物側保持部材９の磁石２５と対応する。したがって、展示物側保持部材９が設置部側保持部材７の凹部２１に嵌った状態で互いの磁石２３、２５が同一の位置に配置される。
【００２２】
磁石２３は、設置部側保持部材７の表面側に例えばＮ極となるように配置され、磁石２５は、展示物側保持部材９の裏面側（設置部側保持部材７に固定される側）に例えばＳ極となるように配置され、互いにＮ極およびＳ極が対向するように配置される。このため、設置部側保持部材７と展示物側保持部材９とは互いに着脱（図中矢印Ａ）可能である。なお、磁石２３、２５は、例えばネオジウム磁石である。
【００２３】
図２は、展示物側保持部材９を示す図であり、図２（ａ）は平面図、図２（ｂ）は図２（ａ）におけるＦ−Ｆ線断面図、図２（ｃ）は図２（ａ）におけるＥ−Ｅ線断面図である。展示物側保持部材９は、展示物１５の着脱面中央に略矩形であるスリット２を有する。展示物側保持部材９はネジ軸がスリット２の隙間に位置し、フランジが展示物側保持部材９の内部に位置する固定ネジ３を有する。スリット２の幅は、固定ネジ３の頭部の幅よりも狭く、ネジ軸よりもわずかに広い。このため、固定ネジ３はスリット２から抜けることがない。
【００２４】
図２（ｃ）に示すように、展示物側保持部材９底部には固定ネジ３のフランジ外端が載置され、固定ネジ３を支持する。展示物側保持部材９は底面にもスリットを有し、工具等によって外部から固定ネジ３を締めこむことができる。すなわち、展示物側保持部材９の底面のスリットの幅は、固定ネジ３の頭部の幅よりも狭く、固定ネジ３を締めこむための工具が挿入可能な程度の幅を有する。固定ネジ３のネジ軸はスリット２の隙間を通って展示物側保持部材９上面から突出している。したがって、固定ネジ３はスリット２に沿って展示物側保持部材９の略長手方向にスライド移動することが可能である。
【００２５】
また、図２（ｂ）に示すように、展示物側保持部材９内部であって、スリット２の縦方向の外側の位置（固定ネジ３の突出と逆の下端側）に磁石２５が設けられる。なお、展示物側保持部材９は、固定ネジ３が展示物側保持部材９に対してスライド移動が可能で、固定ネジ３を保持でき、また、固定ネジ３を外部から締めこむことができる機能を満たせば、この他の態様であってもよい。
【００２６】
図３は、保持部材１の平面図である。図３（ａ）に示すように、例えば、設置部側保持部材７に対して、展示物側保持部材９が側方にずれた部位に位置した場合には、一対の磁石２３と磁石２５とがそれぞれ引きつけ合い、展示物側保持部材９は、設置部側保持部材７の正規の固定位置方向に引きつけられる（図中矢印Ｃ方向）。したがって、多少ずれた位置であっても、展示物側保持部材９は、設置部側保持部材７の常に一定の位置に合わせて引きつけられる。
【００２７】
同様に、図３（ｂ）に示すように、設置部側保持部材７に対して、例えば回転方向にずれた位置に展示物側保持部材９が位置した場合であっても、磁石２３と磁石２５とが引きつけ合い、展示物側保持部材９は、設置部側保持部材７の固定位置方向に引きつけられる（図中矢印Ｄ方向）。したがって、多少ずれた状態であっても、展示物側保持部材９は、設置部側保持部材７の常に一定の位置で一定の向きに合わせて引きつけられる。
【００２８】
次に、保持部材１の使用例について説明する。図４は、保持部材１を設置部である展示壁１７に固定して使用する例を示す図で、図４（ａ）は斜視図、図４（ｂ）は側面図である。取付部１１と展示壁１７を固定ネジ１９を用いて固定することによって、展示壁１７と設置物側保持部材７を接合する。すなわち、展示物１５は保持部材１によって設置部である展示壁１７に保持される。
【００２９】
図５は、保持部材１を設置部である展示スタンド脚２７に固定して使用する例を示す図で、図５（ａ）は斜視図、図５（ｂ）は側面図である。設置物側保持部材７の底面に、展示スタンド台２９を固定ネジ３１によって取り付ける。また、展示スタンド台２９の底面に展示スタンド脚２７を接合する。すなわち、展示物１５は保持部材１によって設置部である展示スタンド脚２７に保持される。
【００３０】
以上説明したように、第１の実施の形態にかかる保持部材１によれば、展示物１５を容易に展示でき、展示配置やレイアウトの自由度が高い。また、保持部材１によって、常に一定の位置および向きに展示物が固定されるため、陳列された展示物の見た目がよく、展示物の位置や向きを整える作業が不要である。
【００３１】
また、展示物であるデジタルカメラ及びビデオカメラが底面に有する三脚固定ネジ穴の仕様は規格で定められているので、展示物１５は固定ネジ３によって確実に展示物側保持部材９と接合することができる。
【００３２】
また、固定ネジ３がスリット２に沿ってスライド移動可能であるために、展示物１５を展示する際に、任意の位置に展示物１５を固定することができる。例えば、展示物１５の三脚固定ネジ穴が展示物１５の底面中央ではない部位にあっても、固定ネジ３をスリット２に沿ってスライド移動させ固定することによって、展示物１５を中央に固定することができる。また、展示物側保持部材９の底面にスリットを有するため、工具等によって固定ネジ３を外部から締めこむことができるので、展示物１５を容易に設置することができる。
【００３３】
また、保持部材１と展示スタンド脚２７を接合して用いることにより、展示物１５が浮いているような視覚効果を与えることができ、他の陳列されている展示物に対して特定の展示物１５を際立たせることができる。また、保持部材１と展示壁１７を接合して用いることにより、展示壁１７周辺に付される文字等による広告と展示物１５を連携させて展示することができ、購買意欲を促進する表示ができる。
【００３４】
次に、第２の実施の形態にかかる保持部材１ａについて説明する。図６は展示物背当て部１３を有する保持部材１ａを示す斜視図であり、図６（ａ）は、分解斜視図、図６（ｂ）は、組みあわされた状態を示す図であり、展示物１５を展示物背当て部１３を用いて固定した状態を示す側面図を図７に示す。なお、図１〜図３を用いて説明した保持部材１と同一の機能を奏する構成については、図１〜図３と同一の符号を付し、重複する説明を省略する。
【００３５】
図６に示すように、展示物背当て部１３は、展示物側保持部材９ａの展示物１５との接合面側に起立するように形成される。展示物背当て部１３は、展示物保持部材９ａの一方の長辺側に略全長に渡って形成された、展示物１５の背面側に起立した壁部である。展示物背当て部１３は、展示物１５を取り付けた際に、展示物１５を展示物側保持部材９ａに対して回転することなく固定するためのものである。
【００３６】
図７は、展示物側保持部材１３を有する設置物側保持部材９ａに展示物１５を固定した状態を示す側面図である。図７に示すように、展示物１５は、展示物１５が有する三脚固定ネジ穴と固定ネジ３を螺合させることで設置物側保持部材９ａに固定される。この際、展示物１５の背面に展示物背当て部１３が位置し、接触する。したがって、展示物１５が設置物側保持部材９ａに対して回転することがなく、設置物側保持部材９ａに対して常に一定の向きで固定される。
【００３７】
また、固定ネジ３を締めこむ際に、設置物側保持部材９ａに対して展示物１５が回転することもない。なお、展示物１５が設置物側保持部材９ａに対して回転することがなく、常に一定の向きで固定される機能が満たされれば、展示物背当て部１３は、展示物側保持部材９ａの縦方向全長にわたって形成される必要はなく、展示物側保持部材９ａの縦方向の一部のみに形成されてもよい。
【００３８】
以上説明したように、保持部材１ａによれば、展示物側保持部材９ａに固定されている展示物１５を、頻繁に手にとって見る場合があっても、展示物側保持部材９ａが展示物背当て部１３を有することから、展示品１５が展示物側保持部材９ａに対して固定ネジ３とともに回転することがなく、常に一定の向きで展示物１５を展示することができる。
【００３９】
以上、添付図を参照しながら、本考案の実施の形態を説明したが、本考案の技術的範囲は、前述した実施の形態に左右されない。当業者であれば、実用新案登録請求の範囲に記載された技術的思想の範疇内において各種の変更例または修正例に想到し得ることは明らかであり、それらについても当然に本考案の技術的範囲に属するものと了解される。
【００４０】
たとえば、保持部材１の形状や展示壁１７及び展示スタンド脚２７の形状等は、図示の例には限られず、種々の形状が適用可能である。
【符号の説明】
【００４１】
１、１ａ………保持部材
２………スリット
３………固定ネジ
７………設置部側保持部材
９、９ａ………展示物側保持部材
１１………取付部
１３………展示物背当て部
１５………展示物
１７………展示壁
１９………固定ネジ
２１………凹部
２３………磁石
２５………磁石
２７………展示スタンド脚
２９………展示スタンド台
【図１】
0003164109.tif 000003
【図２】
0003164109.tif 000004
【図３】
0003164109.tif 000005
【図４】
0003164109.tif 000006
【図５】
0003164109.tif 000007
【図６】
0003164109.tif 000008
【図７】
0003164109.tif 000009